(57)【要約】【課題】携帯端末の機能を活用して、容器識別コードの自動読取収集も薬剤収納数の自動計数収集も行えない調剤機について、装置のコストアップも作業者の負担増加も回避・抑制しながら、薬剤補充が正確に行われ更に在庫管理までも行えるようにする。【解決手段】薬剤容器３３を調剤機３０から取り外して薬剤５０を補充する際、薬剤コード６２を携帯端末４０で読み取り、薬剤補充数量値６１を携帯情報端末４０で入力し、容器識別コード６３を携帯情報端末４０で読み取り、薬剤容器３３を戻すとき装着位置識別コード６４を携帯情報端末４０で読み取り、それらの情報を受信して調剤サーバ２０が在庫管理データ２４の更新と照合データ２５での確認と作業記録データ２６の蓄積を行う。【選択図】        図１
2006109860.tif 000002
【特許請求の範囲】
【請求項１】
着脱式の薬剤容器を多数保持してそのうち任意のものから薬剤を排出させるとともにその薬剤排出の検出を行う調剤機と、その検出結果を前記調剤機から通信にて得て前記薬剤容器それぞれの薬剤収納数の在庫管理値を更新するサーバと、このサーバへの送信を担う無線通信手段と印刷されている識別コードを読み取る読取手段と操作に応じて薬剤補充数量値を取得する数値入力手段と操作に応じて補充作業担当者識別情報を取得する担当者入力手段とを有する携帯端末とを備えた調剤システムであって、前記読取手段で読取可能な容器識別コードが前記薬剤容器それぞれに付されており、前記読取手段で読取可能な装着位置識別コードが前記調剤機における前記薬剤容器の支持部それぞれに付されており、前記携帯端末が前記読取手段で薬剤コードを読み取ったときにも前記読取手段で前記容器識別コードを読み取ったときにも前記読取手段で前記装着位置識別コードを読み取ったときにも前記数値入力手段で前記薬剤補充数量値を取得したときにもそのとき得た情報を前記補充作業担当者識別情報と共に前記サーバへ前記無線通信手段にて送信するものであることを特徴とする調剤システム。
【請求項２】
前記サーバが前記携帯端末から受信した情報を蓄積保存するとともに前記薬剤コードと前記容器識別コードと前記装着位置識別コードとの対応を規定する照合データを保持していることを特徴とする請求項１記載の調剤システム。
【請求項３】
前記サーバが前記携帯端末からの受信情報のうち前記薬剤コードと前記容器識別コードと前記装着位置識別コードについては前記照合データを参照して対応の確認を行い前記携帯端末からの受信情報のうち前記薬剤補充数量値については前記在庫管理値を更新するものであることを特徴とする請求項２記載の調剤システム。
【請求項４】
請求項３記載の調剤システムを用いて行う調剤方法であって、前記薬剤容器を前記調剤機から取り外してその薬剤容器に薬剤を補充するとき、その補充薬剤に係る薬剤コードを前記携帯端末に前記読取手段で読み取らせるとともに、そのときの薬剤補充数量値を前記携帯端末に前記数値入力手段で入力し、前記薬剤容器を前記調剤機に戻す前にその薬剤容器に付されている容器識別コードを前記携帯端末に前記読取手段で読み取らせることを特徴とする調剤方法。
【請求項５】
前記薬剤容器を前記調剤機から取り外してその薬剤容器に薬剤を補充する際に前記薬剤容器を前記調剤機に戻すとき又は戻してからその前記薬剤容器の支持部に付されている装着位置識別コードを前記携帯端末に前記読取手段で読み取らせることを特徴とする請求項４記載の調剤方法。
【発明の詳細な説明】
【技術分野】
【０００１】
この発明は、調剤行為の記録と支援を行う調剤システム及び調剤方法に関し、詳しくは、調剤作業者に携帯端末を持たせておき、着脱式の薬剤容器に薬剤を補充するときに、携帯端末を利用して記録データの収集を行う調剤システム及び調剤方法に関する。
【背景技術】
【０００２】
医療分野では、人手作業中心の医療行為における人災的な事故の発生を防止する等のため、医療従事者に持たせた携帯情報端末（ＰＤＡ、携帯端末）を利用して医療行為を支援しつつ記録する医療行為管理方法が提案されている（例えば特許文献１参照）。
一方、調剤分野では、着脱式の薬剤容器を多数保持してそのうち任意のものから薬剤を排出させるとともにその薬剤排出の検出を行う錠剤分包機等の調剤機が実用化されている（例えば特許文献２参照）。また、薬品類とそれを整列収納するカセットとの双方から識別コードを読みとって一致不一致を判別する薬品収納装置も実用化されている（例えば特許文献３参照）。
【０００３】
これらの調剤機では、薬剤容器の識別情報を自動で読み取って収集したり（例えば特許文献２参照）、カセット内の薬品収納個数を自動で計数して在庫管理したり（例えば特許文献３参照）、色々の自動化が図られている。
とはいえ、容器識別コードの自動読取収集や薬剤収納数の自動計数収集を行うような調剤機の普及率は未だ高くなく、依然として大多数の調剤機では、多数の薬剤容器に収納されている薬剤が、在庫管理の対象になっていない。また、その他にも自動化されないで人手に頼っている作業が未だ多く残っており、特に調剤機の薬剤容器に薬剤を補充する作業はほとんど手作業である。
【０００４】
【特許文献１】特開２００３−０９９５２９号公報  （第１頁）
【特許文献２】特開２００２−２７９０６８号公報
【特許文献３】特開２００１−１９８１９３号公報
【発明の開示】
【発明が解決しようとする課題】
【０００５】
このため、調剤分野でも、調剤ミスの解明と防止を図る等のため、調剤作業者に携帯情報端末を持たせ、その端末を利用して手作業主体の調剤行為を支援しつつ記録する試みがなされている。携帯情報端末には無線通信手段や画面の他にバーコード読取手段も付いているので、携帯情報端末は、調剤作業時の案内表示や確認入力に役立つ他、薬剤に付された薬剤コードの読取や、カセットに付された容器識別コードの読取に、使用することができる。薬剤容器に付されている容器識別コードがバーコードなら、その読取にも、携帯情報端末を使用することができる。
【０００６】
そのため、調剤作業者に持たせた携帯情報端末を利用して調剤行為を記録する際、作業の節々で調剤作業担当者識別情報を記録することに加えて、薬剤コードや容器識別コードの読取を携帯情報端末で行ってその記録も読取に随伴させて自然に行えるようにすることが想定される。
しかしながら、携帯情報端末等の携帯端末は携帯性に優れているので、従来多用されていた固定式のバーコードリーダあるいは読取部と本体とがケーブルで接続されているバーコードリーダで行っていた識別コードの読取作業を担わせるだけでは勿体ない。
【０００７】
また、最近の携帯端末は、比較的安価なものでも可成り高機能であり、数量値を入力することなども、操作部材の一寸した操作等で容易に行える。
そこで、このような携帯端末の機能を活用して、容器識別コードの自動読取収集も薬剤収納数の自動計数収集も行えない調剤機について、装置のコストアップも作業者の負担増加も回避・抑制しながら、手作業主体の薬剤補充が正確に行われるようにするとともに在庫管理までも行えるようにすることが課題となる。
【課題を解決するための手段】
【０００８】
本発明の調剤システムは、このような課題を解決するために創案されたものであり、着脱式の薬剤容器を多数保持してそのうち任意のものから薬剤を排出させるとともにその薬剤排出の検出を行う調剤機と、その検出結果を前記調剤機から通信にて得て前記薬剤容器それぞれの薬剤収納数の在庫管理値を更新するサーバと、このサーバへの送信を担う無線通信手段と印刷されている識別コードを読み取る読取手段と操作に応じて薬剤補充数量値を取得する数値入力手段と操作に応じて補充作業担当者識別情報を取得する担当者入力手段とを有する携帯端末とを備えた調剤システムであって、前記読取手段で読取可能な容器識別コードが前記薬剤容器それぞれに付されており、前記読取手段で読取可能な装着位置識別コードが前記調剤機における前記薬剤容器の支持部それぞれに付されており、前記携帯端末が前記読取手段で薬剤コードを読み取ったときにも前記読取手段で前記容器識別コードを読み取ったときにも前記読取手段で前記装着位置識別コードを読み取ったときにも前記数値入力手段で前記薬剤補充数量値を取得したときにもそのとき得た情報を前記補充作業担当者識別情報と共に前記サーバへ前記無線通信手段にて送信するものであることを特徴とする。
【０００９】
また、前記サーバが前記携帯端末から受信した情報を蓄積保存するとともに前記薬剤コードと前記容器識別コードと前記装着位置識別コードとの対応を規定する照合データを保持していることを特徴とする。
さらに、前記サーバが前記携帯端末からの受信情報のうち前記薬剤コードと前記容器識別コードと前記装着位置識別コードについては前記照合データを参照して対応の確認を行い前記携帯端末からの受信情報のうち前記薬剤補充数量値については前記在庫管理値を更新するものであることを特徴とする。
【００１０】
また、本発明の調剤方法は、上記の調剤システムを用いて行う調剤方法であって、前記薬剤容器を前記調剤機から取り外してその薬剤容器に薬剤を補充するとき、その補充薬剤に係る薬剤コードを前記携帯端末に前記読取手段で読み取らせるとともに、そのときの薬剤補充数量値を前記携帯端末に前記数値入力手段で入力し、前記薬剤容器を前記調剤機に戻す前にその薬剤容器に付されている容器識別コードを前記携帯端末に前記読取手段で読み取らせることを特徴とする。
さらに、前記薬剤容器を前記調剤機から取り外してその薬剤容器に薬剤を補充する際に前記薬剤容器を前記調剤機に戻すとき又は戻してからその前記薬剤容器の支持部に付されている装着位置識別コードを前記携帯端末に前記読取手段で読み取らせることを特徴とする。
【発明の効果】
【００１１】
このような本発明の調剤システム及び調剤方法にあっては、各種の薬剤を収納している多数の薬剤容器のうち所望のものから薬剤を排出させると、その薬剤排出の検出が調剤機によって自動で行われ、その検出結果が調剤機からサーバに通知され、それに基づいて薬剤収納数の在庫管理値が更新される。これにより、薬剤排出に関しては、調剤機に格納されている薬剤の在庫管理が自動で行われる。しかも、薬剤排出の検出は調剤機の基本機能なので、装置のコストアップはほとんどない。自動なので作業者の負担増加もない。
【００１２】
一方、調剤機に装着された着脱式の薬剤容器に薬剤を補充するには、先ず補充対象の薬剤容器を調剤機から取り外し、その薬剤容器に薬剤を補充して、その後、その薬剤容器を元の支持部に装着して調剤機に戻す、という一連の作業が人手で行われるが、その際に、補充薬剤に係る薬剤コードを携帯端末に読み取らせると、その薬剤コードが、補充作業担当者識別情報と共にサーバに送られる。薬剤補充数量値を携帯端末に入力すると、その薬剤補充数量値も、補充作業担当者識別情報と共にサーバに送られる。また、薬剤容器を調剤機に戻す前にその薬剤容器に付されている容器識別コードを携帯端末に読み取らせると、その容器識別コードも、補充作業担当者識別情報と共にサーバに送られる。さらに、薬剤容器を調剤機に戻すとき又は戻してからその薬剤容器の支持部に付されている装着位置識別コードを携帯端末に読み取らせると、その装着位置識別コードも、補充作業担当者識別情報と共にサーバに送られる。
【００１３】
そして、サーバでは、それらの情報が蓄積保存されるとともに、そのうち薬剤コードと容器識別コードと装着位置識別コードについては照合データを参照して対応の確認が行われることから、薬剤の選択，薬剤容器の選択，及び薬剤容器の戻しの何れかに誤りがあると、そのことが検知されるので、薬剤補充が正確に行われるようになる。また、薬剤補充数量値についてはそれを用いて在庫管理値の更新が行われるので、薬剤補充に関しても薬剤容器ごとの在庫管理が行われる。
【００１４】
このように、携帯端末を用いて作業履歴のデータ記録に好適な識別コードの読取作業と軽微な作業の数値入力とを行いながら薬剤補充作業を行えば、それに随伴して薬剤補充の誤り検知と在庫管理値の更新も行われるようにしたことにより、調剤機が容器識別コードの自動読取収集も薬剤収納数の自動計数収集も行えないものであっても、不所望な装置のコストアップ及び作業者の負担増加を招くことなく、手作業主体の薬剤補充を正確に行えるうえ在庫管理までも行えるようになる。
【発明を実施するための最良の形態】
【００１５】
このような本発明の調剤システムの一実施形態について、その具体的な構成を、図面を引用して説明する。図１は、基本システムの全体構成図である。
なお、その図示に際しては、簡明化等のため、ボルト等の締結具，ヒンジ等の連結具，電動モータ等の駆動源，タイミングベルト等の伝動部材，モータドライバ等の電気回路，コントローラ等の電子回路などは詳細な図示を割愛し、ブロック図や斜視図を多用して、発明の説明に必要なものや関連するものを中心に図示した。
【００１６】
この調剤システムは（図１参照）、調剤サーバ２０（サーバ）と錠剤分包機３０（調剤機）と携帯情報端末４０（ＰＤＡ，携帯端末）とからなる。図示した錠剤分包機３０は一台であるが複数台でも良く、携帯情報端末４０は調剤作業者それぞれに行き渡るよう多数が用意される。調剤サーバ２０と錠剤分包機３０は、有線ＬＡＮ（Local Area Network）等で通信可能に接続されており、携帯情報端末４０は、調剤サーバ２０に内蔵の又は外付けのアクセスポイント２７にその通信可能範囲内なら無線でＬＡＮ接続されるようになっている。調剤サーバ２０には、補充リスト２８出力のためディスプレイやプリンタが接続され、処方箋データの入力のために、例えば処方オーダリングシステム１０がネットワーク接続されたり図示しない処方箋読取装置が接続されている。
【００１７】
錠剤分包機３０は、代表的な自動調剤機であり、公知なので（例えば特許文献２を参照）、ここでは本発明の説明に役立つところを説明するが、薬剤フィーダの着脱部である薬剤容器３３を多数と、これらの薬剤容器３３から排出された薬剤５０を収集する薬剤収集部材３５と、この薬剤収集部材３５から薬剤５０を薬剤投入部３６で受け入れその薬剤５０を包装する包装装置３７とを備え、処方に応じて適宜の薬剤容器３３から薬剤５０を排出させ、それを薬剤収集部材３５で収集して下方の薬剤投入部３６へ送り込み、さらに包装装置３７で分包するようになっている。
【００１８】
すなわち、錠剤分包機３０の筐体内には、上の方に薬品庫が設けられるとともに、下の方に包装装置３７が設けられ、さらに、これらの間を縦に走る図示しない導管と薬剤収集部材３５とが連絡しているが、薬品庫には、個々にスライドしうる複数の薬剤収納庫３１が横に並べて配設され、それぞれの薬剤収納庫３１には、薬剤フィーダの固定部を兼ねる棚３４（支持部）が多段に設けられ、それぞれの棚３４には、着脱式の薬剤容器３３が数個から数十個ほど横に並んで格納されている。このような棚３４の引出時露出面のうち薬剤容器３３装着箇所（支持部）には、それぞれ一意に割り振られた装着位置識別コード６４が、バーコード印刷紙等で貼付されている。
【００１９】
薬剤容器３３は、薬剤補充のため上蓋が開くようになっている。また、整列盤３３ａを回転させて薬剤５０を一錠ずつ下方へ落下排出するものであり、その薬剤排出を自動で行うために、薬剤容器３３を棚３４に装着すると薬剤容器３３の整列盤３３ａの回転駆動が棚３４の図示しないモータで行われるようになっている。薬剤容器３３から排出されて落下した薬剤５０が棚３４の排出センサ３４ａで検出されるようにもなっている。このような薬剤容器３３には、それぞれ、一意に割り振られた容器識別コード６３が、バーコード印刷紙等で貼付されている。
【００２０】
補充用の薬剤５０を収容している瓶５１等にも、剤種別で一意に割り振られた薬剤コード６２が、やはりバーコード印刷紙等で貼付されている。また、このような着脱式の薬剤容器３３を多数保持している錠剤分包機３０は、調剤サーバ２０から通信にて処方箋データ又は派生した調剤指示箋データが送られてくると、それを受信し、それで指定された薬剤５０を収容している薬剤容器３３を作動させて指定の薬剤を排出させて分包するが、その際、その薬剤排出を確認のため排出センサ３４ａで検出するとともに、その検出結果を通信にて調剤サーバ２０に通知するようになっている。その通知には、該当する排出センサ３４ａの設置アドレスか、或いはその設置箇所（支持部）に貼付されている装着位置識別コード６４値が、含められるようにもなっている。
【００２１】
携帯情報端末４０は、アクセスポイント２７との無線通信を担う無線通信手段４１と、シール用紙等に印刷されている識別コード６２，６３，６４を読み取ることのできるバーコードリーダ４２（読取手段）と、補充作業担当者識別情報６０や薬剤補充数量値６１等を入力するための操作部材４４と、入力された補充作業担当者識別情報６０や薬剤補充数量値６１を確認等のため表示することのできる例えば液晶の画面４３とが組み込まれたプログラム可能な携帯端末であれば、市販の汎用品で良い（例えば特許文献２参照）。携帯情報端末４０には、調剤行為の支援のため調剤サーバ２０から受信した処方箋や調剤指示箋の処方内容を表示したり手作業での調剤時に記録データの収集を行うといった基本処理プログラムに加えて、薬剤補充時に記録データの収集を行うための拡張処理プログラムがインストールされている。
【００２２】
携帯情報端末４０には、薬剤補充数量値６１の入力を求める表示を画面４３に提示してから操作部材４４やバーコードリーダ４２の操作に応じて薬剤補充数量値６１を取得する数値入力サブプログラム（数値入力手段）と、やはり補充作業担当者識別情報６０の入力を求める表示を画面４３に提示してから操作部材４４やバーコードリーダ４２の操作に応じて補充作業担当者識別情報６０を取得する担当者入力サブプログラム（担当者入力手段）も、インストールされている。操作部材４４での入力は、対応するキー等が有ればそれで直接入力し、そのような部材が無ければ入力画面４３の表示を利用した選択等にて入力し、バーコードリーダ４２での入力は、予め印刷された一覧表から該当バーコードを選択読取したり、作業者の名札に印刷されているバーコードを読み取ったり、といったことで行われるようになっている。
【００２３】
このようなプログラムを具えた携帯情報端末４０は、操作部材４４の特定操作等に応じて動作モードを補充モードに切り替えるとともに拡張処理プログラムを実行するが、そのプログラム処理では、先ず、担当者入力サブプログラムを実行させて、補充作業担当者識別情報６０を取得しておき、それから、薬剤容器３３への薬剤補充作業の度に、バーコードリーダ４２で薬剤コード６２の読取が行われたときにも、バーコードリーダ４２で容器識別コード６３の読取が行われたときにも、バーコードリーダ４２で装着位置識別コード６４の読取が行われたときにも、さらには数値入力サブプログラムで薬剤補充数量値６１の入力が行われたときにも、それらの取得情報を取得済み補充作業担当者識別情報６０及び補充モード情報と共に通信伝文に含め、その伝文を無線通信手段４１及びアクセスポイント２７経由で調剤サーバ２０に送信するようになっている。
【００２４】
また、その補充モード下の携帯情報端末４０では、作業ミス防止のため、薬剤コード６２の読取と容器識別コード６３の読取と薬剤補充数量値の取得とが一通り行われる前に装着位置識別コード６４の読取が行われたときには、注意を促すアラーム出力や遣り直しを促す案内表示などが行われるようになっている。さらに、補充モード下では、薬剤補充数量値取得のための数値入力サブプログラム実行が、薬剤コード６２の読取および容器識別コード６３の読取の何れかが行われたときから装着位置識別コード６４の読取が行われるまでの間に限定されるとともに、その間であれば読取操作部材４４の特定操作等に応じて随時行われるようになっている。
【００２５】
調剤サーバ２０は、プログラマブルな汎用のコンピュータで良く、これには排出管理ルーチン２１と補充管理ルーチン２２がインストールされている。また、調剤サーバ２０には十分な記憶容量のハードディスク２３が内蔵され又は外付けされており、これには在庫管理データ２４と照合データ２５と作業記録データ２６が割り付けられている。さらに、調剤サーバ２０に付けられているアクセスポイント２７は、無線ＬＡＮを構築できれば市販の汎用品で足り、補充リスト２８出力用のディスプレイやプリンタも、市販の汎用品で足りる。
【００２６】
在庫管理データ２４は、薬剤容器３３と同数かそれより多くのレコードを持ち、各レコードには該当薬剤容器３３に係る容器識別コード６３値と薬剤コード６２値と幾つかの在庫管理値とが含まれている。その在庫管理値には、少なくとも薬剤収納数の在庫管理値が含まれており、他には、排出頻度など、補充時期の判定に役立つ適宜な値が含まれている。ここでは容器識別コード６３値が検索キーになっていれば足りるが、大抵、容器識別コード６３値も薬剤コード６２値も検索キーになっている。
【００２７】
照合データ２５は、棚３４における薬剤容器３３装着箇所（支持部）と同数かそれより多くのレコードを持っており、各レコードには、該当支持部に係る装着位置識別コード６４値と容器識別コード６３値と薬剤コード６２値とが含まれている。そのうち少なくとも装着位置識別コード６４値は検索キーになっている。この例では、照合データ２５と在庫管理データ２４が別になっているが、マージされていても不都合はない。
作業記録データ２６は、携帯情報端末４０から送信されて調剤サーバ２０が受信した情報を時系列で蓄積保存するため、通信伝文をそのまま或いは適宜選択した情報にタイムスタンプを付加した情報などを追加書き込みできるようになっている。
【００２８】
排出管理ルーチン２１は、処方オーダーエントリシステム１０等から処方箋データを受け取ると、その処方箋データを調剤機の種類に応じて分類する処理などを行って（例えば特許第２６９１８５９号公報を参照）、錠剤分包機３０に適合する部分を抽出して調剤指示箋データを作成し、又は処方箋データをそのまま採用して、この調剤指示箋データ又は処方箋データを纏めて又は細切れにして錠剤分包機３０への自動分包指令に含ませ、その指令を錠剤分包機３０に送信するようになっている。また、錠剤分包機３０から調剤サーバ２０へ排出センサ３４ａによる薬剤排出の検出結果が通知されたとき、在庫管理データ２４の該当レコードにおける薬剤収納数の在庫管理値を減じるようにもなっている。
【００２９】
補充管理ルーチン２２は、メニュー選択等で指示されたときや、在庫管理データ２４における薬剤収納数の在庫管理値が所定の閾値以下になったときなど、在庫管理データ２４にアクセスして補充対象を選別し、選出した薬剤容器３３の装着位置や容器識別コード６３値とそれに補充すべき薬剤５０の名称や薬剤コード６２値とを列記した補充リスト２８を作成するようになっている。
【００３０】
また、補充管理ルーチン２２は、携帯情報端末４０から補充モード下の通信伝文が調剤サーバ２０に送られてくると、補充時の作業内容を時系列で蓄積保存するため、その通信伝文そのままの情報にタイムスタンプを付加し、又はその通信伝文から適宜な部分たとえば補充作業担当者識別情報などを選択した情報にタイムスタンプを付加して、それを作業記録データ２６に追加で書き込むようになっている。
【００３１】
さらに、その通信伝文にふくまれていた薬剤コード６２読取値と容器識別コード６３読取値と薬剤補充数量値６１を一時記憶しておき、それらが揃った後に装着位置識別コード６４読取値を得たときに、それらの薬剤コード６２と容器識別コード６３と装着位置識別コード６４が何れも照合データ２５の同一レコードに含まれているか否かをチェックし、同一レコードに含まれていれば対応関係が適切なものであると判定して、在庫管理データ２４の該当レコードにおける薬剤収納数の在庫管理値に薬剤補充数量値６１を加え、同一レコードに含まれていなければ対応関係が不適切なものであると判定して、アラームを発する等のエラー処理を行うようになっている。
【００３２】
このような構成の調剤システムを用いて行う調剤方法を、図面を引用して説明する。図２及び図３は、典型的な調剤作業の手順説明図である。
【００３３】
通常の調剤時には、処方オーダリングシステム１０等から調剤サーバ２０に処方箋データが届くと、調剤サーバ２０から錠剤分包機３０へ自動分包指令が出され、この指令に従って錠剤分包機３０では指定の薬剤５０が該当薬剤容器３３から排出され包装装置３７で分包される。また、その際、薬剤排出が排出センサ３４ａで検出されて、その検出結果が錠剤分包機３０から調剤サーバ２０に通知され、それに応じて在庫管理データ２４の該当レコードにおける薬剤収納数の在庫管理値が減数更新される。
【００３４】
そして、そのような自動調剤の結果、在庫管理データ２４における薬剤収納数の在庫管理値が所定の閾値以下になったときなど、補充を促す必要があると調剤サーバ２０で判定されたときには、調剤サーバ２０によって補充リスト２８が作成される。また、既定の運用スケジュール等に従って、補充作業担当者その他の調剤作業者が調剤サーバ２０に指示したときにも、補充リスト２８が作成される。そのような補充リスト２８を見て補充作業担当者は薬剤補充が必要か否か判断し、必要であれば適当な時に錠剤分包機３０の自動動作を停止させて、薬剤補充作業を開始する。
【００３５】
薬剤補充時には、補充作業担当者が、錠剤分包機３０の自動動作停止を確認して（図２（ａ）参照）、補充対象の薬剤収納庫３１を手前に引き出す（図２（ｂ）参照）。また、補充作業担当者は、それまでに、携帯情報端末４０に補充作業担当者識別情報６０を設定しておく。それから、補充作業担当者は、補充対象の薬剤容器３３を薬剤収納庫３１から取り外し（図２（ｃ）参照）、補充用薬剤５０の入っている瓶５１の薬剤コード６２を携帯情報端末４０にバーコードリーダ４２で読み取らせるとともに（図２（ｄ）参照）、補充対象の薬剤容器３３の容器識別コード６３も携帯情報端末４０にバーコードリーダ４２で読み取らせる（図３（ａ）参照）。これらの読取作業は、大抵、錠剤分包機３０とは別の作業机で行う。
【００３６】
すると、それらの読取作業に応じて、携帯情報端末４０から調剤サーバ２０へ無線通信で、薬剤コード６２読取値および容器識別コード６３読取値が補充作業担当者識別情報６０と共に通知される。調剤サーバ２０では、それらの情報が作業記録データ２６に記録されるとともに後の対応確認等のため一時記憶される。
さらに、補充作業担当者は、瓶５１から薬剤容器３３に薬剤５０を補充するとともに（図３（ｂ）参照）、実際に補充した錠数など薬剤補充数量値６１を携帯情報端末４０に入力する（図３（ｃ）参照）。そうすると、この薬剤補充数量値６１も、補充作業担当者識別情報６０と共に、携帯情報端末４０から調剤サーバ２０へ無線通信で通知され、調剤サーバ２０で、作業記録データ２６に記録され、後の対応確認まで一時記憶される。
【００３７】
それから、補充作業担当者は、補充の済んだ薬剤容器３３を錠剤分包機３０のところへ移し、その薬剤容器３３を戻すべき棚３４上の装着箇所（薬剤容器の支持部）に付されている装着位置識別コード６４を携帯情報端末４０に読み取らせる（図３（ｄ）参照）。
すると、この読取作業についても携帯情報端末４０から調剤サーバ２０へ無線通信で装着位置識別コード６４読取値が補充作業担当者識別情報６０と共に通知され、調剤サーバ２０で、それらの情報が作業記録データ２６に記録されるとともに、その装着位置識別コード６４と先に一時記憶していた薬剤コード６２及び容器識別コード６３の読取値とが照合データ２５の同一レコードで対応付けられているか否かの確認が行われる。
【００３８】
そして、その対応確認の結果が不調であれば調剤サーバ２０からアラームが発せられるので、補充作業担当者は、正しい戻し先を探して再試行する。対応が正しいと調剤サーバ２０によって確認されれば、アラームは無いので、補充作業担当者は、補充済み薬剤容器３３を棚３４の該当箇所に装着して戻す（図３（ｅ）参照）。
こうして、薬剤容器３３への薬剤補充についても、携帯情報端末４０を利用して簡便に作業記録が採られるばかりか、随伴して自然に、作業の適否チェックがなされるとともに、薬剤収納数の在庫管理値の更新も行われる。
【００３９】
［その他］
上記実施形態では、携帯情報端末４０からの情報だけを作業記録データ２６に記録するようになっていたが、錠剤分包機３０での薬剤排出まで作業記録データ２６に記録するようにしても良い。
また、瓶５１は薬剤５０を補充用に供給できれば箱や袋あるいはＰＴＰ包装など他の形態のものでも良い。さらには、アンプルやバイアルなどに入った注射薬も管理対象になる。瓶５１に薬剤コード６２を直に付すことは必須でなく、薬剤コード６２との対応付けを明確にできれば、添付など間接的な対応付けでも良い。
【００４０】
さらに、調剤サーバ２０に存在する在庫管理データ２４に基づいて又はそれと他の在庫管理データとを統合管理して自動発注等まで行うようにしても良い。
また、上記実施形態では、薬剤補充の作業および薬剤補充数量値６１の入力よりも先に容器識別コード６３の読取を行っているが、その順番は逆であっても良い。
また、照合データ２６を参照して対応の確認を行ったときなどに調剤サーバ２０が発するアラームは、原因となる通信伝文を送ってきた携帯情報端末４０にも発報させるようにすると更に良い。
【図面の簡単な説明】
【００４１】
【図１】本発明の一実施形態について、調剤システムの構成図である。
【図２】その調剤システムを用いて行う調剤作業の手順説明図である。
【図３】それに続く手順説明図である。
【符号の説明】
【００４２】
１０…処方オーダリングシステム、
２０…調剤サーバ、
２１…排出管理ルーチン、２２…補充管理ルーチン、２３…ハードディスク、
２４…在庫管理データ、２５…照合データ、２６…作業記録データ、
２７…アクセスポイント（無線ＬＡＮ）、２８…補充リスト、
３０…錠剤分包機（調剤機）、
３１…薬剤収納庫、３３…薬剤容器（薬剤フィーダ着脱部）、３３ａ…整列盤、
３４…棚（支持部、薬剤フィーダ固定部）、３４ａ…排出センサ、
３５…薬剤収集部材、３６…薬剤投入部、３７…包装装置、
４０…携帯情報端末（ＰＤＡ、携帯端末）、
４１…無線通信手段（無線ＬＡＮ）、４２…バーコードリーダ（読取手段）、
４３…画面（数値・担当者入力手段）、４４…操作部材（数値・担当者入力手段）、
５０…薬剤、５１…瓶、
６０…補充作業担当者識別情報、６１…薬剤補充数量値、
６２…薬剤コード、６３…容器識別コード、６４…装着位置識別コード
【図１】
2006109860.tif 000003
【図２】
2006109860.tif 000004
【図３】
2006109860.tif 000005